(57)【要約】【課題】  ヘルメット内面と頭部との空間を良好に保つための物質を簡単に取付・取り外しを可能にした環境改善具を提供する。【解決手段】  湿気・雑菌による臭気の発生等々これらの要因を打破する能力を有する物質をヘルメット内面に固着さす事により内部空間を改善する事を可能とし、又波動の力もプラスされ快適さを与えることができた。  又ヘルメット本体の素材に、本改善物質を  混入せしめ、一体成形する事も出来る。同様に構成する付属品への合体も可能である。【選択図】図１
2011032624.tif 000002
【特許請求の範囲】
【請求項１】
ヘルメットや帽子装着時の内部環境の悪化を改善し、快適なる空間を創造する為の手段を、天然鉱石が発する波動及び吸湿力、ホッキ貝焼成品の有する殺菌・除菌・脱臭力、又綿の吸水力等の効力を有する物質をケーシング内に収容一体化せしめ、片面に位置する接着テープによりヘルメット内面に自由に固着・脱着出来うる事を特徴とする内部環境改善具。
【請求項２】
請求項１記載の天然物質を、ヘルメットや帽子を構成する素材に混入合体したのちに成形、製造することを特徴とする環境改善機能付ヘルメット及び帽子。
【請求項３】
請求項１、２記載の改善物質をヘルメット及び帽子内部を構成する付属品、たとえばヘルメット内面と頭上部が直接接触しないように装着されている仕切り、ベルトやネット類及びスポンジ等に合体する事を特徴とする環境改善機能付ヘルメット及び帽子
【請求項４】
請求項１，２，３記載以外の物質、たとえばゼオライト・医王石・竹炭・カキ・ホタテ等の物質を請求項１，２，３の記載の条件にてヘルメット内部に取り付けることを特徴とする環境改善具。
【発明の詳細な説明】
【発明分野】
【０００１】  本発明は、ヘルメットや帽子装着時の内部環境を良好に保つための手段に関するものである。
【背景技術】
【０００２】  従来よりヘルメットや帽子をはじめ、かぶりものに関しては内部に環境是正の方法として、ヘルメットや帽子の上部に穴をもうける事により、空気の流れを良好に保つ方法や又頭部とヘルメットが直接接触しないようネット・バンドを張り空間を作り、環境改善への創意工夫がなされている。
【発明の開示】
【発明の解決しようとする課題】
【０００３】  本発明は、このような従来の技術的背景によりなされたものであり、野球・バイク等スポーツ関連はもとより、工事現場・生産工場等安全確保の上でも、ヘルメットや帽子の着用は義務づけられている。
【０００４】  されど、着用した際、その内部は環境が悪く、特に夏場ともなれば発汗によるムレ、湿気過剰による雑菌の繁殖が要因の異臭発生等内部の環境悪化は否まれず、不快感が蔓延しており、この状況改善を目的とする。
【課題を解決する為の手段】
【０００５】  天然の産物のパワーに以前より興味をもち着目していた発明者は、過去にその卓越した能力を生かした数々の商品を生み出し、現在も社会生活の中で人々に使用されている。このような状況において、本発明の課題であるヘルメット内部の浄化改善、すなわち状況を分析し悪環境を作り出す要因となる湿気によるムレ、雑菌の繁殖による臭気の発生等々が主なる要因と考えられ、それらの要因に対応出来る天然の産物が有するパワーを数種類組み合わせて一体化し、ヘルメット内部に固着する事により、環境を良好に導くことを可能にしたヘルメット用内部環境改善具である。
【０００６】  本願発明の環境改善具を構成する天然産物を主原料とする商品を具体的に説明する。
まず要因の一つである汗による湿気の対策として、体積の１０倍以上の給水力を有するコットン（綿）を採用、次に頭脳によい影響を与える波動を発生させる為の手段として「マグマの恵」（詳細は資料１を参照）を採用した。又本品には吸湿作用も併せ持つ。
【０００７】  次に環境改善具の大きな要因の一つである雑菌の増殖、それにともなう臭気の発生の対策として天然のホッキ貝「リ・ファイン」を採用、殺菌・除菌効力に優れ脱臭・消臭にも（資料２を参照）強力なるパワーを発揮し、本願発明改善具の大きなウエイトをしめている。
【０００８】  又、冷却を必要とするときは、冷却ゲルの小粒を上記物質に混入する場合もある。
以上が本改善具の主要な構成物質であるが、ケース・バイ・ケースにより他の天然鉱物・サンゴ・竹炭・セラミック等々の採用もありうる。
【０００９】  以上の物質をよく混合・攪拌後メッシュの小さなケーシング内に収納する事により一体化となす。この一体化なされたケーシングの片面には装着物の材質を考慮した上で両面テープもしくはマジックテープが取り付けられており、ヘルメット内部のスペースにあわせ自由に固着することが出来る。
【発明の効果】
【００１０】  本願発明のヘルメット内部環境改善具は前項にてのべたごとく悪環境を作り出す原因を本改善具を内部に装着することにより湿気を吸収し軽減させ殺菌・除菌・脱臭後波動による相乗効果もプラスしてヘルメットと頭部の空間がすがすがしく保たれ、良好な環境改善を達成する事が出来た。
又本改善具をヘルメット内部に装着する場合も、材質・スペースを十分考慮されたる形状にて空気の流れを妨げぬよう空気穴を生かした工夫がなされている。
【発明を実施する為の形態】
【００１１】（実施形態）
本発明の実施形態の例を図によって説明する。
図１は本願発明の内容・構成を拡大図にて示す。
Ａは平面図。Ｂは側面断面図。Ｃは取付用パーツ図。
図ｂにおいて、物質▲１▼▲２▼▲３▼▲４▼を▲５▼にて収納し、片面（底面）にはヘルメット内面に取付ける為の接続物（▲６▼、▲７▼）が位置する。
【００１２】  図２において、本願発明の代表的形状を示す。
ヘルメット内部は、その大半が空気孔を有しており、限定されたるスペースにおいての本品取り付けとなる為、よりそのスペースを無駄にする事なく有効に活用している為▲８▼▲９▼▲１０▼を主なる形状パターンとし、その後は使用者のニーズを参考にしより高効率を目指する。
【００１３】  図３において本願発明におけるヘルメット内部への取り付けた状態の一例を示す。
ヘルメット・帽子の材質が金属・ＦＲＰ・強化プラスチック・布等々と多種の為、取り付け、固定方法にも最適なるものを選定出来るよう図１−Ｂ・Ｃにおける▲６▼▲７▼にて▲１１▼ヘルメットに図２の▲８▼▲９▼▲１０▼を取り付けた一例である。
【産業上の利用可能性】
【００１４】  前記実施形態においては、ヘルメット及び帽子内に装着し、内部の環境を改善することを説明したが、本願発明の環境改善具は要旨を逸脱しない範囲内であれば他の分野・部所における利用、たとえば室内で飼育されているペット等に関し、そのハウスやトイレ等への利用も可能とし、又人間が使用するトイレ・下駄箱・キッチン内部・鞄の中等限られた狭い空間における除湿・除菌・消臭・波動効果を必要と分野で利用が可能である。
【図面の簡単な説明】
【００１５】
【図１】  本願発明の実施形態の一例であってＡは平面図である。Ｂにおいては詳細を断面図にて示し、構成される物質名及びＣ図はヘルメットに取り付ける接着具（両面接着テープ、マジックテープ）を示す。
【図２】  本願発明の主なる形状パターンの例を示す説明図。
【図３】  図１、図２を野球用ヘルメットの内部に固着した配置の例を示す説明図。
【符号の説明】
【００１６】  １    マグマの恵→資料１
２    リ・ファイン→資料２、（２−Ａ  ２−Ｂ）
３    コットン
４    冷却ゲル粒
５    不織布
６    両面接着用テープ
７    マジックテープ
８    長方形タイプ
９    正方形タイプ
１０  円形タイプ
１１  野球用ヘルメット
１２  空気穴
【図１】
2011032624.tif 000003
【図２】
2011032624.tif 000004
【図３】
2011032624.tif 000005